(57)【要約】【課題】手提げ用把手の機能を発揮する肩掛けベルトを備えた釣用バッグの提供。【解決手段】この釣用バッグ１０は、バッグ本体１１と、運搬ベルト装置２０とを有する。運搬ベルト装置２０は、ベルト本体２１と、ワンタッチバックル２２とを有する。ワンタッチバックル２２は、ポスト部２７及びソケット部２８を有する。ソケット部２８は、バッグ本体１１の側壁１４に固定される。ポスト部２７は、ベルト本体２１の中間部２１に固定される。ポスト部２７がソケット部２８に嵌め込まれることにより、ベルト本体２１の長さが短くなる。【選択図】図２
2015109810.tif 000002
【特許請求の範囲】
【請求項１】
内部に収容室が区画されたバッグ本体と、
バッグ本体の対向する側壁に掛け渡された運搬ベルト装置とを有し、
当該運搬ベルト装置は、
上記対向する側壁に掛け渡され、釣人が肩に掛けるために適当な長さのベルト本体と、
当該ベルト本体の中間部及び端部に固定され、互いに連結解除可能な状態で連結する連結具とを備えている釣用バッグ。
【請求項２】
上記連結具は、ポスト部及びソケット部を備えたワンタッチバックルである請求項１に記載の釣用バッグ。
【請求項３】
上記ポスト部が上記ベルト本体の中間部に設けられ、
上記ソケット部が上記ベルト本体の端部と共に上記側壁に固定されている請求項２に記載の釣用バッグ。
【発明の詳細な説明】
【技術分野】
【０００１】
この発明は、釣人が携行する釣用バッグの構造に関するものである。
【背景技術】
【０００２】
釣行の際に釣人は、一般に、釣用リール、釣糸、釣針、針外し、プライヤその他小物類（釣り道具）や、釣餌等を収容することができる釣用バッグを携行する。釣りにはさまざまなジャンルがあり、そのスタイルも異なる。そのため、釣りのジャンルに対応して釣り用バッグの仕様も異なり、釣りのスタイルに合わせて改良が重ねられている（たとえば、特許文献１〜特許文献３参照）。
【先行技術文献】
【特許文献】
【０００３】
【特許文献１】特開２０１０−７５２１０号公報
【特許文献２】特開２００７−３１２６５４号公報
【特許文献３】特開２００７−４４０１５号公報
【発明の概要】
【発明が解決しようとする課題】
【０００４】
釣り道具と共に釣餌も収容できる釣用バッグは一般にサイズが大きくなるため、このような大型サイズの釣用バッグは、肩掛けベルトを有する。釣人は、この肩掛けベルトを使用して釣り道具等を収容した釣用バッグを持ち運ぶ。また、たとえば釣場において、釣用バッグを手から手へ受け渡す際には、手提げ用把手が設けられているのが好ましい。
【０００５】
従来から提供されている釣用バッグは、手提げ用把手を備えているものもある。しかし、手提げ用把手と肩掛けベルトとの双方を備えた釣用バッグの構造は複雑であり、製造コストも高くなる。
【０００６】
本発明はかかる背景のもとになされたものであって、その目的は、構造がきわめて簡単であり、釣人が肩に掛けて運ぶことができ且つ手提げにて運ぶこともできる釣用バッグを提供することである。
【課題を解決するための手段】
【０００７】
(1) 本発明に係る釣用バッグは、内部に収容室が区画されたバッグ本体と、バッグ本体の対向する側壁に掛け渡された運搬ベルト装置とを有する。この運搬ベルト装置は、上記対向する側壁に掛け渡され、釣人が肩に掛けるために適当な長さのベルト本体と、当該ベルト本体の中間部及び端部に固定され、互いに連結解除可能な状態で連結する連結具とを備える。
【０００８】
この構成によれば、連結具が連結されていない状態では、ベルト本体は、釣人が肩に掛けるために適当な長さとなる。また、連結具が連結されると、上記ベルト本体の中間部が当該ベルト本体の端部に連結された状態となるので、上記ベルト本体の長さは大幅に短くなる。これにより、当該ベルト本体が手提げ用として適当な長さとなり、手提げ用把手として機能する。
【０００９】
(2) 上記連結具は、ポスト部及びソケット部を備えたワンタッチバックルであるのが好ましい。
【００１０】
この構成では、市販されているワンタッチバックルが採用され得る。したがって、釣用バッグの製造コストが大幅に削減され得る。
【００１１】
(3) 特に、上記ポスト部が上記ベルト本体の中間部に設けられ、上記ソケット部が上記ベルト本体の端部と共に上記側壁に固定されているのが好ましい。
【発明の効果】
【００１２】
この発明によれば、ベルト本体に設けられた連結具が連結されるだけで、当該ベルト本体の長さが一気に短くなり、当該ベルト本体が手提げ用把手として機能する。したがって、従来のように、肩掛けベルト及び手提げ用把手の双方を搭載していた釣用バッグに比べて、きわめて簡単な構造で肩掛けベルト及び手提げ用把手の機能が達成される。ひいては、製造コストも削減される。加えて、上記ベルト本体の長さが短くなることによって、バッグ本体の開閉やバッグ本体に付設されたポケットの開閉動作の際に、当該ベルト本体が邪魔になることがない。また、上記ベルト本体がバッグ本体から垂れ下がって地面と接触することによる当該ベルト本体の汚損も防止される。
【図面の簡単な説明】
【００１３】
【図１】図１は、本発明の一実施形態に係る釣用バッグの外観斜視図である。
【図２】図２は、本発明の一実施形態に係る釣用バッグの外観斜視図である。
【図３】図３は、本発明の一実施形態に係るワンタッチバックルの拡大斜視図である。
【図４】図４は、本発明の一実施形態の第１の変形例に係る釣用バッグの斜視図である。
【図５】図５は、本発明の一実施形態の第２の変形例に係る釣用バッグの要部拡大斜視図である。
【図６】図６は、本発明の一実施形態の第２の変形例に係る釣用バッグに採用されているワンタッチバックルの分解斜視図である。
【図７】図７は、本発明の一実施形態の他の変形例に係るワンタッチバックルの拡大斜視図である。
【発明を実施するための形態】
【００１４】
以下、本発明の好ましい実施形態が、適宜図面が参照されながら説明される。なお、本実施の形態は、本発明に係る釣用バッグの一態様にすぎず、本発明の要旨を変更しない範囲で実施態様が変更されてもよいことは言うまでもない。
【００１５】
図１及び図２は、本発明の一実施形態に係る釣用バッグ１０の外観斜視図である。
【００１６】
この釣用バッグ１０は、バッグ本体１１と、運搬ベルト装置２０とを備えている。この運搬ベルト装置２０は、後述されるベルト本体２１と、ワンタッチバックル２２を備えている。この釣用バッグ１０の特徴とするところは、ワンタッチバックル２２（特許請求の範囲に記載された「連結具」に相当）が設けられている点である。図１が示すようにワンタッチバックル２２が連結されることにより、上記ベルト本体２１の長さが短くなって、当該ベルト本体２１が手提げ用把手として機能し、一方、図２が示すようにワンタッチバックル２２の連結が解除されることにより、上記ベルト本体２１の長さが長くなって、当該ベルト本体２１が肩掛けベルトとして機能するようになっている。
【００１７】
バッグ本体１１は、既知の構造、材料からなり、全体として直方体状を呈する。バッグ本体１１の上面に開口が設けられている。同図は、当該開口を図示していないが、当該開口に連続してバッグ本体１１の内部に収容室が形成されている。バッグ本体１１は、正面１３及び当該正面１３と対向する背面並びに互いに向かい合う一対の側面１４を有する。この互いに向かい合う側面１４がバッグ本体１１の側壁を構成している。以下、本明細書では、バッグ本体１１の側面１４は、側壁１４と称する場合もある。バッグ本体１１は、たとえばポリエチレン（ＰＥ）からなるコアを有し、このコアをポリ塩化ビニル（ＰＶＣ）、エチレン酢酸ビニル共重合体（ＥＶＡ）、ポリウレタン（ＰＵ）等からなるシートが被覆している。バッグ本体１１の正面１３及び側壁１４にポケット１６、１７が設けられている。もっとも、これらポケット１６、１７は、省略されてもよい。
【００１８】
バッグ本体１１に蓋１２が備えられている。図１及び図２は、この蓋１２が閉じられた状態を示している。蓋１２は、図示されていないヒンジを介してバッグ本体１１の背面に連結されている。したがって、蓋１２が回動されることにより、バッグ本体１１の開口が開閉されるようになっている。蓋１２は、アクリロニトリルブタジエンスチレン共重合体（ＡＢＳ）、ＥＶＡ、ポリエチレン（ＰＥ）、ポリプロピレン（ＰＰ）等から構成されている。蓋１２の上面に凹凸が形成されており、蓋１２の剛性が向上されている。また、同図が示すように蓋１２が閉じられた状態で、ワンタッチバックル１５により当該閉じ状態がロックされるようになっている。もっとも、この蓋１２は、省略されてもよい。
【００１９】
なお、バッグ本体１１の構造は特に限定されるものではなく、上記一対の側壁１４が形成されていれば、他の構成であっても良い。
【００２０】
運搬ベルト装置２０は、前述のようにベルト本体２１と、ワンタッチバックル２２とを備えている。ベルト本体２１は、芯材と被覆材とを有する。芯材は、薄肉の細長帯状に形成され、ポロプロピレン（ＰＰ）、ポリエステル（ＰＥ）、ポリアミド（ＰＡ）等から構成される。被覆材は、熱可塑性ポリウレタン（ＴＰＵ）からなり、上記芯材をコアとして押出成形により被覆される。ベルト本体２１の幅寸法は、１０ｍｍ〜４０ｍｍに設定され、長さは、１０００ｍｍ〜２５００ｍｍ程度に設定され得る。
【００２１】
図２が示すように、ベルト本体２１の一端部２４及び他端部２５が、バッグ本体１１の側壁１４の上部に固定されている。つまり、ベルト本体２１は、バッグ本体１１の対向する側壁１４間に掛け渡されている。本実施形態では、ベルト本体２１が側壁１４に縫い付けられているが、ベルト本体２１を側壁１４に固定するために他の固定手段が採用されてもよいことは勿論である。なお、ベルト本体２１の他端部２５に長さ調整機構２６が設けられている。この長さ調整機構２６は既知であるので、その詳しい説明は省略される。
【００２２】
ベルト本体２１に肩パッド２３が取り付けられている。肩パッド２３は既知の構成であって、ベルト本体１１に沿ってスライド可能となっている。肩パッド２３は、ベルト本体１１よりも幅寸法が大きく設定されており、内部に緩衝部材が配置されている。これにより、釣人が肩パッド２３を肩に掛けたときは、肩パッド２３は釣人の肩に沿って確実に当接するようになっている。
【００２３】
図３は、ワンタッチバックル２２の拡大斜視図である。
【００２４】
図２及び図３が示すように、上記連結具を構成するワンタッチバックル２２は、ポスト部２７及びソケット部２８を備えている。なお、かかるワンタッチバックル２２は汎用品として市販されているものを採用することができる。
【００２５】
ポスト部２７は、取付帯２９を介してベルト本体２１の中間部に固定されている。本実施形態では、取付帯２９は、ベルト本体２１と同様の材料から構成されている。取付帯２９は、補強帯３０と共にベルト本体２１に縫い付けられている。補強帯３０もベルト本体２１と同様の材料から構成されている。また、ベルト本体２１の全長が寸法Ｌで表されるとすれば、ポスト部２７は、ベルト本体２１の一端部２４からＬ／３程度の位置に配置される。もっとも、ポスト部２７の位置は、適宜設計変更され得る。
【００２６】
ソケット部２８は、バッグ本体１１の側壁１４に固定されている。本実施形態では、ソケット部２８は、取付帯３１を介してバッグ本体１１に縫い付けられている。この取付帯３１も上記ベルト本体２１と同様の材料から構成されている。また、本実施形態では、上記取付帯３１は、ベルト本体２１の一端部２４と共に上記側壁１４に縫い付けられている。
【００２７】
この釣用バッグ１０は、次の要領で使用され得る。
【００２８】
上記蓋１２が開放されることによりバッグ本体１１の開口が開放され、さまざまな釣り道具や釣餌等が出し入れされる。釣人は、バッグ本体１１に釣り道具等を満載して釣行が可能である。
【００２９】
上記ワンタッチバックル２２が連結されていない状態では、ベルト本体２１は前述の長さを有するので（図１参照）、釣人は、ベルト本体２１を容易に肩に掛けることができ、釣り道具等を満載した釣用バッグ１０を簡単に運搬することができる。ただし、荷物が少量の場合であるときや、釣用バッグ１０を釣人同士で手渡しする際には、前述の状態のベルト本体２１は長すぎて不便である。そこで、上記ポスト部２８がソケット部２８に挿入されると、すなわち、ワンタッチバックル２２が連結されると（図２参照）、上記ベルト本体２１の中間部が当該ベルト本体２１の一端部２４に連結された状態となる。つまり、ベルト本体２１の長さは一気に且つ大幅に短くなる。これにより、当該ベルト本体２１は、手提げ用の把手として機能する。
【００３０】
つまり、上記ワンタッチバックル２２が連結されるだけで、ベルト本体２１の長さが短くなって、釣人は、ベルト本体２１を手提げ用把手として使用することができる。これにより、たとえば釣場において、釣用バッグ１０の手渡し作業が簡単に行える。しかも、本実施形態では、ワンタッチバックル２２が連結されることにより、ベルト本体２１にリング状の弛み部３１が生じる。この弛み部３１も把手として機能する。たとえば、釣用バッグ１０が自動車のトランクルームに収容されている場合、釣人は、上記弛み部３１に手を掛けることにより、容易に釣用バッグ１０を引き出すことができる。
【００３１】
したがって、従来のように、肩掛けベルト及び手提げ用把手の双方を搭載していた釣用バッグに比べて、きわめて簡単な構造で肩掛けベルト及び手提げ用把手の機能が達成されるし、製造コストも削減される。
【００３２】
なお、本実施形態では、連結具としてポスト部２７及びソケット部２８を備えたワンタッチバックルが採用されたが、他の連結具も採用され得ることは勿論である。
【００３３】
また、本実施形態では、上記ソケット部２８は、ベルト本体２１の端部２４と共にバッグ本体１１に縫い付けられるので、ベルト本体２１の端部２４の強度が増す。したがって、重量物が繰り返してバッグ本体１１に収容される場合であっても、運搬ベルト装置２０の耐久性が向上する。
【００３４】
次に、本実施形態の変形例について説明される。
【００３５】
図４は、本実施形態の第１の変形例に係る釣用バッグの斜視図である。
【００３６】
この変形例に係る釣用バッグ４０が上記実施形態に係る釣用バッグ１０と異なるところは、上記実施形態に係る釣用バッグ１０では、上記ワンタッチバックル２２のソケット部２８（図３参照）は、バッグ本体１１のポケット１７が設けられている側の側面に縫い付けられているのに対して、本変形例に係る釣用バッグ４０では、上記ワンタッチバックル２２のソケット部２８は、バッグ本体１１のポケットが設けられていない側の側面１４に縫い付けられている点である。
【００３７】
この変形例に係る釣用バッグ４０では、ワンタッチバックル２２のソケット部２８の近傍にポケットが存在しないので、ポケット１６、１７（図１参照）の開閉作業の際にソケット部２８及びベルト本体２１が邪魔になることがない。
【００３８】
図５は、本実施形態の第２の変形例に係る釣用バッグ５０の要部拡大斜視図である。また、図６は、この釣用バッグ５０に採用されているワンタッチバックル５２の分解斜視図である。
【００３９】
この変形例に係る釣用バッグ５０が上記実施形態に係る釣用バッグ１０と異なるところは、ワンタッチバックル５２の構造である。このワンタッチバックル５２も汎用品として市販されているものが採用され、たとえば、nafco（登録商標）製SIDE RELEASE BUCKLEが採用され得る。このワンタッチバックル５２は、ポスト部５７及びソケット部５８を備えており、円盤状に形成されたポスト部５７が、ソケット部５８の内部に区画された嵌合凹部に挿入され、固定されるようになっている。
【００４０】
ソケット部５８の内部に係合舌片５３が配置されており、ポスト部５７に嵌合孔５４が設けられている。ポスト部５７がソケット部５８に挿入されると、上記係合舌片５３が上記嵌合孔５４に嵌め合わされて両者が連結される。なお、本変形例においても、取付帯２９は、補強帯３０（不図示）と共にベルト本体２１に縫い付けられており、当該縫い付けられた部分の補強のためにカバー５９が被せられている。
【００４１】
図７は、この釣用バッグ５０に採用される他のワンタッチバックル６１の分解斜視図である。
【００４２】
このワンタッチバックル６１も汎用品として市販されているものが採用される。ワンタッチバックル６１は、ポスト部６２及びソケット部６３を備えている。円盤状に形成されたポスト部６２に係合舌片６４が形成されている。ソケット部６３の内部に嵌合凹部６５が区画されている。この嵌合凹部６５にポスト部６２が挿入されると、上記係合舌片６４が嵌合凹部６５に係止され、両者が連結される。
【符号の説明】
【００４３】
１０・・・釣用バッグ
１１・・・バッグ本体
１４・・・側面
２０・・・搬送ベルト装置
２１・・・ベルト本体
２２・・・ワンタッチバックル
２４・・・異端部
２５・・・他端部
２７・・・ポスト部
２８・・・ソケット部
２９・・・取付帯
３０・・・補強帯
３１・・・取付帯
４０・・・釣用バッグ
５０・・・釣用バッグ
５２・・・ワンタッチバックル
６１・・・ワンタッチバックル
【図１】
2015109810.tif 000003
【図２】
2015109810.tif 000004
【図３】
2015109810.tif 000005
【図４】
2015109810.tif 000006
【図５】
2015109810.tif 000007
【図６】
2015109810.tif 000008
【図７】
2015109810.tif 000009